(57)【要約】  本発明は、−光線（１）を投影し眼（１００）の網膜（１０１）を照射することに適合した少なくとも１つの照射器（１１）と、−網膜により反射された光（２、２０２）を受光し、網膜の画像を取得することに適合した画像センサー（２７）と；−走査方向（ＤＳ）に沿って、前記照射器により網膜に投影された光線（１）を動かす網膜の光走査を実行することに適合したスキャニング手段（１７）と；−網膜により反射され前記画像センサー（２７）に方向づけられた光（２）から前記照射器により投影された光（１）を分離することに適合した光線分離手段（１６）と；−前記スキャニング装置のオペレーションを制御する制御ユニット（４０）とを備える眼検査装置に関する。前記装置のオペレーションの間に、フレームされた網膜の領域の各１つの画像を取得するために、前記画像センサーは、前記スキャニング手段による前記網膜の領域の少なくとも２回の全面的な光走査の間に網膜により反射された光（２、２０２）を集積する。
2017530767.tif 000002
【特許請求の範囲】
【請求項１】
−眼（１００）に光線（１）を投影し、網膜（１０１）の一部を照射することに適合した少なくとも１つの照射器（１１）と；ここで、前記光線は、前記光線が網膜と交わるときに、主伸長軸（ＡＥ）に沿って伸びる光の線（１Ｂ）を形成するように成形され、
−網膜により反射された光（２、２０２）を受光し、網膜の画像を取得することに適合した画像センサー（２７）と；
−前記光の線（１Ｂ）の主伸長軸（ＡＥ）に実質的に垂直な走査方向（ＤＳ）に沿って、前記照射器により網膜に投影された光線（１）を繰り返し動かすことにより、網膜の光走査を実行することに適合したスキャニング手段（１７）と；
−網膜により反射され、前記画像センサー（２７）に向けて方向付けられた光（２）から前記照射器により投影された光（１）を分離することに適合した光線分離手段（１６）と；
−前記スキャニング装置の動作を制御する制御ユニット（４０）と；を備え、
オペレーションにおいてフレームされた網膜の領域の各１つの画像を取得するために、前記画像センサーは、前記スキャニング手段による前記網膜の領域の少なくとも２回の全面的な光走査の間に、網膜により反射された光（２、２０２）を集積することを特徴とする眼検査装置（５００）。
【請求項２】
オペレーションにおいてフレームされた網膜の領域の各１つの画像を取得するために、前記画像センサーは、前記スキャニング手段による前記網膜の領域の整数回数の全面的な光走査の間に、網膜により反射された光（２、２０２）を集積することを特徴とする請求項１に記載の装置。
【請求項３】
−受光された光パワーを示す検出信号（Ｕ１）を少なくとも供給することに適合した少なくとも１つの感光部材（３１１）を備える光検出デバイス（３０）と；
−網膜により反射され、前記光線分離手段（１６）を通過する光（２）を、反射光の第１及び第２部分（２０１、２０２）に分けることに適合したビームスプリッター（２２）とを備え、
前記ビームスプリッターは、反射光の前記第１部分（２０１）を前記光検出デバイス（３０）に向けて方向付け、そして反射光の前記第２部分（２０２）を前記画像センサーに向けて方向付けることを特徴とする前述の請求項のいずれか１つに記載の装置。
【請求項４】
前記光検出デバイス（３０）は、前記装置のオペレーションの間に前記網膜と光学的に共役するマスク（３３）を備え、
前記マスクは、前記少なくとも１つの感光部材（３１１）に向けて光の通過を可能にすることに適合した少なくとも１つの開口（３３１）を備えることを特徴とする請求項３に記載の装置。
【請求項５】
前記光検出デバイス（３０）は、第１方向（Ｉ１）に従って配置された少なくとも２つの感光部材（３１１）を備え、
前記マスク（３３）は、第２方向（Ｉ２）に従って配置された少なくとも２つの開口（３３１）を備え、
前記第１及び第２方向（Ｉ１、Ｉ２）は、前記装置のオペレーションの間に、前記照射器により網膜に投影された光の線（１Ｂ）の主伸長軸（ＡＥ）と光学的に共役することを特徴とする請求項４に記載の装置。
【請求項６】
前記光検出デバイス（３０）は、
−前記少なくとも１つの感光部材（３１１）が搭載された支持体（３１）と；
−少なくとも１つの空洞（３２１）が設けられた中間体（３２）とを備え、
前記中間体（３２）は、前記少なくとも１つの感光部材に向けて光の通過を可能にするために前記少なくとも１つの空洞（３２１）が前記マスクの少なくとも１つの開口に通じ、前記少なくとも１つの感光部材のためのチャンバーを定めるように、前記支持体（３１）及び前記マスク（３３）と作動的に関連することを特徴とする請求項４又は５に記載の装置。
【請求項７】
前記光検出デバイス（３０）は、前記少なくとも１つの感光部材（３１１）に作動的に関連した少なくとも１つのエミッター（３１２）を備え、
前記少なくとも１つのエミッターは、前記少なくとも１つの感光部材に光を投影することに適合したことを特徴とする請求項３〜６のいずれか１つに記載の装置。
【請求項８】
オペレーションにおいて、前記照射器（１１）が網膜に光線（１）を投影し、前記画像センサーが網膜により反射された光（２、２０２）を受光したとき、前記少なくとも１つのエミッターは前記少なくとも１つの感光部材（３１１）に光を投影することを特徴とする請求項７に記載の装置。
【請求項９】
前記少なくとも１つの感光部材（３１１）から少なくとも１つの検出信号を受け取り、前記少なくとも１つの感光部材により受光された光エネルギーを示す少なくとも１つの測定信号（Ｅ１）を供給することに適合した信号調節手段（６０）を備えることを特徴とする請求項３〜８のいずれか１つに記載の装置。
【請求項１０】
前記制御ユニット（４０）は、前記少なくとも１つの測定信号（Ｅ１）に基づき前記照射器の動作を制御することに適合することを特徴とする請求項９に記載の装置。
【請求項１１】
前記制御ユニット（４０）は、前記装置のオペレーションの間に、前記画像センサー（２７）により集積される光（２０２）の量の第１調節手順を実行し、
前記第１調節手順は、次のステップ：
−前記スキャニング手段（１７）が進行が終わる部分に近接したときに、前記照射器（１１）と前記画像センサー（２７）を始動させる制御信号を供給するステップ；
−前記測定信号（Ｅ１）を取得するステップ；
−前記測定信号（Ｅ１）を閾値（ＥＴＨ）と比較するステップ；
−もし前記測定信号（Ｅ１）が前記閾値（ＥＴＨ）よりも大きい値を有するならば、進行中の網膜の光走査の完了を待つステップ；
−進行中の光走査が完了したときに、前記照射器を停止させる制御信号を発生させるステップ；
を含むことを特徴とする請求項１０に記載の装置。
【請求項１２】
前記少なくとも１つの照射器は、出力を調節することができ、
前記制御ユニット（４０）は、前記装置のオペレーションの間に、前記画像センサー（２７）により集積される光（２０２）の量の第２調節手順を実行し、
前記第２調節手順は、次のステップ：
−前記スキャニング手段が進行が終わる部分に近接したとき、ある光出力値で前記照射器を始動させ、前記画像センサーを始動させる制御信号を発生させるステップ；
−前記スキャニング手段が第１回数Ｎ１の網膜の光走査を実行した後、前記測定信号（Ｅ１）を取得するステップ；
−前記測定信号（Ｅ１）と閾値（ＥＴＨ）とを比較するステップ；
−前記照射器が新しい光出力値に調節された場合においてさらに実行される光走査の第２回数Ｎ２を算出するステップ；
−前記スキャニング手段が進行が終わる部分に近接したときに、前記照射器の光出力を前記新しい光出力値に変える制御信号を発生させるステップ；
−網膜の前記第２回数Ｎ２の光走査の完了を待つステップ；
−網膜の前記第２回数Ｎ２の光走査が完了したとき、前記照射器を停止させる制御信号を発生させるステップ；
を含むことを特徴とする請求項１０又は１１に記載の装置。
【請求項１３】
前記スキャニング手段（１７）は、振動共振ミラーを備えることを特徴とする前述の請求項のいずれか１つに記載の装置。
【発明の詳細な説明】
【技術分野】
【０００１】
本発明は、眼検査装置に関する。
【背景技術】
【０００２】
共焦点タイプの眼の検査のための装置の使用が広く知られている。
これらの装置は、比較的狭い瞳孔（すなわち、３ｍｍよりも小さい瞳孔径でさえも）について、よい明度コントラストと比較的広い視野（４５°より大きくても）で網膜の写真やビデオを撮ることができる。
簡素な構造の理由で、共焦点ラインスキャニング眼検査装置は、特に産業的及び商業的に興味深い。
【０００３】
共焦点ラインスキャニング装置の例は、特許US4241257、US7331669及びEP2392915A1に記載されている。
これらの装置は、網膜のとても狭い領域を照射する光線で網膜を通常は線状に走査する。それらは、網膜により反射された光を集めてデスキャンし、不要反射からくる擬似光のほとんどを除去するスリットを設けた固定した絞りにそれを通過させる。絞りを通過する光は、次にセンサーに投影され、従って、網膜の１つ以上の画像を再現するために取得された情報に使われる。
従来技術の共焦点ラインスキャニング装置は、通常、数１０ミリ秒の所定時間で完了する同じ網膜の１回の光学的走査の間に網膜の画像を取得する。
【０００４】
特許出願EP2392915A1は、次のことを記載している、例えば、光の線で対象を走査する光学的画像取得システムは、対象により反射された光をデスキャンし、それを共焦点開口に通過させ、そして二次元画像を得るためにそれを再スキャンし、その次に、二次元画像が、走査周波数と同じフレームレートを使う二次元センサーを用いて取得される。
特許US7331669は、不要反射を減らすためにスリット形状の開口を備えた絞りを含む照射器により生成された光で網膜を走査するデジタル写真システムを記載している。提案された複数の構造変形例の１つにおいて、網膜により反射された光は、デスキャンされ、反射を除去する共焦点絞りを通過し、そして二次元センサーに投影された二次元画像を取得するために再スキャンされる。網膜の画像が網膜の１回の走査の間に取得されるという事実は、特許US7331669が二次元センサーの露光時間を増加させるために網膜の走査周波数を引き下げることを提案しているという事実から明白である。
【０００５】
前記特許文献に記載されたシステムの問題の１つは、それらが同じ網膜の画像の取得の間に網膜により反射された光の量を制御するための現実的な解決案を提供していないことにある。
このことは、センサーの露光時間又はゲインの最適化を阻む。従って画像の明るさは、網膜の反射性に応じて変化し、そして対象によって変化しうる。
網膜により反射された光の量を制御すること無しに画像を取得すると、とても反射する網膜の場合、画像の飽和を阻止するような値にセンサーの露光時間又はゲインを減らすことが可能である。
また、取得された画像の明るさを、それらの取得の後の同じ画像の加工手段を用いてさらに調整することができる（画像の後処理）。
この解決案の不利点は、低い反射性の網膜の画像がしばしば暗くなりすぎ低い信号／ノイズ比を有するという事実にある。
画像の明るさは、これらの画像の後処理により改良されうる。しかし、このことは、信号／ノイズ比を大きくは改良せず、一般的に低いままである。
【０００６】
赤外線画像を取得するのに使われうる別の解決案は、同じ網膜の最終的な画像を得る前に赤外線源の出力又はセンサーのゲインを調整することが可能となるように、ビデオの取得の間に網膜の反射性を測定することにある。
しかし、可視光で走査する場合では、強い可視光による網膜の照射が、網膜の最終的な画像を取得することが可能となる前に眼の瞳孔が閉じることを引き起こすことを考えれば、この技術は使うことができない。
【０００７】
信号―ノイズ比を改良する知られた技術では、ある数の別々の画像を取得し、コンピューターを使いこれらの画像を後処理手段で結合し、よりよい信号―ノイズ比の１つの画像を形成する。
この方法の不利な点は、それは高価なハイスピードカメラと取得ハードウェアを必要とするため、高い実施コストで代表される。従って、この方法は、より高価なポイントタイプのスキャニングシステムで一般的に使われ、通常性能をコストにトレードオフするラインスキャニングシステムでは使われない。
この解決案は、例えば、ハイデルベルクエンジニアリングインクが彼らのスペクトラリス（商標）ＯＣＴ製品で採用したハイデルベルクノイズリダクション（商標）システムに使われている。
そのような技術は、特許文献EP1961374に開示されたもののように、他の眼検査装置、特に、ＯＣＴ、にも使われている。
【０００８】
文献WO2012/041723は、画像の取得の間に眼の網膜に向けて放射する光の量を制御するためのシステムを備えた従来の眼底カメラを記載している。
このシステムは、光のフラッシュを用いて同時に網膜全体を照射する眼底カメラのためのものと考えられる。それは、光センサーにより網膜により反射された光の量を測定し、反射光の量が所定の閾値に達すると眼底カメラの照射器を停止する。
この文献は、共焦点ラインスキャニング装置にもこの解決案を適用することを可能にする解決案を提供しない。
【発明の概要】
【発明が解決しようとする課題】
【０００９】
本発明の主な目標は、前述の従来技術の問題点を解決する共焦点ラインスキャニングタイプの眼検査装置を提供することである。
この目標の範囲内において、本発明の目的は、網膜からきてイメージセンサーに方向付けられた光の量を自動的に調整することが可能な眼検査装置を提供することである。
本発明のさらなる目的は、工業規模で競争価格で生産することが容易な眼検査装置を提供することである。
この目標及びこれらの目的は、後に続く明細書と付随の図面からより明らかになる他の目的と共に、下で提案されるクレーム１と関連する従属クレームに係る眼検査装置による発明によって達成される。
【課題を解決するための手段】
【００１０】
一般的定義として、本発明に係る装置は、眼に光線を投影し網膜を照射することに適合した照射器を少なくとも備える。
前記光線は、前記光線が網膜に交わった際、主伸長軸に沿って伸びる光の線を形成するように成形される。
従って、照射器は、前記光の線の形を有する、網膜の一部分を照射する。
本発明に係る装置は、次のものも備える：
−網膜により反射された光を受光することと網膜の画像を取得することとに適合した画像センサー；
−網膜の光走査を実行することに適合し、照射器により投影された光の線の主伸長軸に実質的に垂直なスキャニング方向に沿って網膜に照射器により投影された光線を繰り返し動かすスキャニング手段；
−網膜により反射され、前記画像センサーに向けて方向付けられた光から、照射器により投影された光を分離することに適合した光線分離手段；
−前記装置のオペレーションを制御する制御ユニット。
【００１１】
本発明によれば、前記装置のオペレーションの間、フレームに入れられた網膜の領域の一つ一つの画像を取得するために、前記画像センサーは、前記スキャニング手段によりフレームに入れられた網膜の領域の少なくとも２回の全面的な光走査の間に網膜により反射された光を集積する。
好ましくは、前記装置のオペレーションの間、フレームに入れられた網膜の領域の一つ一つの画像を得るために、画像センサーは、前記スキャニング手段によりフレームに入れられた網膜の領域の整数回の全面的な光走査の間に網膜により反射された光を集積する。
本発明によれば、最適な露出量に達した後、センサーは、取得プロセスの終わりにおいて１つの画像を実現させる。
これらの複数の走査の間に網膜から受け取る情報は、技術の既知の状態において存在するコンピューターを必要とする後処理手段ではなく、網膜の最終的な画像を形成するために画像センサーの段階において直接的に合成されることに注目することは重要である。
【００１２】
好ましくは、本発明に係る装置は、次のものを備える：
−入射光パワーを表す検出信号を供給することに適合した感光部材を少なくとも備える光検出デバイス；
−前記網膜により反射され前記光線分離手段を通過する光を、反射光の第１部分と第２部分とに分けることに適合したビームスプリッター。ビームスプリッターは、反射光の第１部分を光検出デバイスに方向付け、反射光の第２部分を画像センサーに方向付ける。
好ましくは、本発明に係る装置は、少なくとも１つの感光部材からの検出信号を少なくとも受け取ることに適合し、そして少なくとも１つの感光部材により受光された光エネルギーを表す測定信号を供給することに適合した信号調節手段を備える。
【００１３】
好ましくは、光検出デバイスは、網膜に光学的に共役されることに適合したマスクを備える。マスクは、少なくとも１つの感光部材に向かう光（前記光の第１部分に含まれる）の通過を可能にすることに適合した開口を少なくとも備える。
好ましくは、光検出デバイスは、前記装置のオペレーションの間、照射器により網膜に投影された光の線の主伸長軸に光学的に共役した第１方向に従って配列された少なくとも２つの感光部材を備える。
好ましくは、光検出デバイスのマスクは、前記装置のオペレーションの間、照射器により網膜に投影された光の線の主伸長軸に光学的に共役した第２方向に従って配列された少なくとも２つの開口を備える。
【００１４】
好ましくは、光検出デバイスは、前記少なくとも１つの感光部材に作用するように関連したエミッターを少なくとも備える。前記少なくとも１つのエミッターは、前記少なくとも１つの感光部材に光を投影することに適合される。
好ましくは、前記装置のオペレーションの間、前記少なくとも１つのエミッター（前記制御ユニットにより始動されうる）は、照射器と画像センサーが制御ユニットにより始動されたされたときに、すなわち、照射器が網膜に光を投影しそして画像センサーが同じ網膜の画像を取得するために網膜により反射された光を受光するときに、前記少なくとも１つの感光部材に光を投影する。
【００１５】
好ましくは、光検出デバイスは、前記少なくとも１つの感光部材が搭載されている支持体と少なくとも1つの空洞が設けられた中間体とを備える。中間体は、前記少なくとも１つの空洞がマスクの前記少なくとも１つの開口に通じ前記少なくとも１つの感光部材に向かう光の通過を可能とし、前記少なくとも１つの感光部材を横方向に入れることに適合したチャンバーを定めるように、支持体と光検出デバイスのマスクとに作動的に関連する。
好ましくは、制御ユニットは、信号調節手段により供給された測定信号に基づき照射器の動作を制御することが可能である。
【００１６】
好ましくは、制御ユニットは、画像センサーに向けて方向付けられた光の量の第１調節手順を実行することが可能である。前記第１調節手順は、次のステップを含む：
−スキャニング手段が進行が終わる部分に近接したときに、照射器と画像センサーとを始動させる制御信号を供給するステップ；
−信号調節手段により供給された測定信号を取得するステップ；
−前記測定信号を閾値と比較するステップ；
−もし前記測定信号が前記閾値よりも高い値を有するならば、進行中の網膜の光走査の完了を待つステップ；
−進行中の光走査が完了したときに、照射器を停止させる制御信号を供給するステップ。
【００１７】
好ましくは、制御ユニットは、画像センサーに向かって方向付けられた光の量の第２調節手順を実行することが可能である。前記第２調節手順は、次のステップを含む：
−スキャニング手段が進行が終わる部分に近接したときに、照射器と画像センサーとを始動させる制御信号を供給するステップ；
−前記スキャニング手段が第１整数回数Ｎ１の前記網膜の光走査を実行した後に、信号調節手段により供給された測定信号を取得するステップ；
−前記測定信号を閾値と比較するステップ；
−前記照射器が新しい出力値に調節された場合においてさらに実行される走査の第２整数回数Ｎ２を算出するステップ；
−スキャニング手段が進行が終わる部分に近接したときに、照射器の出力を前記新しい出力値に変える制御信号を供給するステップ；
−網膜の前記回数Ｎ２の光走査が完了するのを待つステップ；
−前記回数Ｎ２の網膜の光走査が完了したときに、照射器を停止させる制御信号を供給するステップ。
【発明の効果】
【００１８】
本発明による眼検査装置のさらなる特徴と利点を、説明的で限定されない目的のために純粋に提供された下記に記載の説明と添付図を参照してより明らかにする。
【図面の簡単な説明】
【００１９】
【図１】図１は、第１実施形態における本発明に係る眼検査装置を概略図として示す。
【図２】図２は、さらなる実施形態における本発明に係る眼検査装置を概略図として示す。
【図３−４】図３−４は、図２の眼検査装置のいくつかの詳細を概略図として示す。
【図５−６】図５−６は、さらなる変形実施形態における図２の眼検査装置のいくつかの詳細を概略図として示す。
【図７】図７は、図２−６に示した実施形態における本発明に係る眼検査装置に使用されうる感光部材の動作特性曲線を概略図として示す。
【図８】図８は、本発明に係る眼検査装置により眼の網膜に投影された光の線を概略図として示す。
【発明を実施するための形態】
【００２０】
図１を参照して、本発明は、眼検査装置５００に関連している。
装置５００は、光源を少なくとも備える照射器１１を備える。
装置５００は、照射器１１により投影された光線１が眼１００の網膜１０１に到達する光学照射経路１Ａを備える。従って、装置１のオペレーションの間、光学経路１Ａは、照射器１１から網膜１０１まで伸びる。
照射器１１は、網膜に光線１を投影するように配置される。
光線は、光線１が網膜に交わるときに主伸長軸ＡＥに沿って伸びる光の線１Ｂを形成するように成形される（図８）。
【００２１】
装置５００は、網膜１０１により反射された光２を受光し、同じ網膜の１つ以上の画像を取得することに適合した画像センサー２７を備える。
装置５００は、網膜１０１により反射された光２が画像センサー２７に到達する光学取得経路（又は光学結像経路）２Ａを備える。従って、装置１のオペレーションの間、光学経路２Ａは、網膜１０１から画像センサー２７まで伸びる。
装置５００は、網膜１０１の周期的な複数の光走査を実行することに適合したスキャニング手段１７を備える。それぞれの光走査は、照射器１１により網膜１０１の表面に投影された光線１を走査方向ＤＳに沿って動かすことにより実行される（図８）。
スキャニング手段１７に起因して、照射器１１により投影された光の線１Ｂは、光走査の間、走査方向ＤＳに従って網膜の表面に沿って動く。
好ましくは、スキャニング手段１７は、画像センサー２７に向かう光学取得経路２Ａにおいて、網膜によって反射された光２の少なくとも一部を方向付ける機能も有する。
【００２２】
装置５００は、網膜により反射され画像センサー２７に向けて方向付けられた光２から網膜に投影された光を分離することに適合した光線分離手段１６を備える。
照射器１１、光線分離手段１６及びスキャニング手段１７は、光学経路１Ａにおいて直列に好都合に配置される（光線１の方向Ｄ１を参照）。
好ましくは、装置５００は、照射器１１と光線分離手段１６との間の光学経路１Ａに配置された第１光学系１５を備える。
好ましくは、装置５００は、照射光１が通過するように光学経路１Ａに沿ってスキャニング手段１７の下流に配置された、スキャニング光学系１８と接眼レンズ１９とを備える（光線１の伝播方向Ｄ１参照）。
スキャニング手段１７、光線分離手段１６及び画像センサー２７は、光学経路２Ａにおいて、直列に配置されることが有利である（光線２の伝播方向Ｄ２を参照）。
接眼レンズ１９及びスキャニング光学系１８は、光学経路２Ａにも配置され、反射光がスキャニング手段１７に到達する前に反射光２が通過する。
好ましくは、装置５００は、装置５００のオペレーションの間に網膜１０１に光学的に共役するように、光学経路２Ａに配置された共焦点絞り２３を備える。
【００２３】
説明をより明確にするために、次のように明記される、本発明の範囲内において、記述“光学的に共役した”は、光学的共役の正確な位置、又は光学的共役の正確な位置の比較的小さい近辺（装置５００の光学経路の長さに関して）に位置することを特定する。
共焦点絞り２３は、好ましくは、反射光２の一部の通過を可能にする共焦点開口を少なくとも備え、網膜と光学的に共役した、装置５００又は眼１００のいくらかの表面により反射された光を少なくとも部分的に遮断することが可能である。
好ましくは、装置５００は、光線分離手段１６と画像センサー２７との間の光学経路２Ａに配置された第２光学系２１、ミラー２２、２４、第３光学系２５、対物レンズ２６も備える。
下でより明らかになるように、ミラー２２又は２４は、ビームスプリッター２２０により置換されることが可能である。
引用した図面に示されたものとは異なる構造を有する、ミラー又は絞りの使用を提供する光学経路１Ａ、２Ａの構造変形例を形成することが可能である。
【００２４】
好ましくは、照射器１１は、LEDデバイスからなる光源を少なくとも備える。
好ましくは、画像センサー２７は、例えば、デジタルビデオカメラの１つ以上の二次元ＣＣＤ又はＣ−ＭＯＳセンサーからなる。画像センサー２７は、受光表面において光２を受光し、網膜１０１を観察し撮影することを都合よく可能にする。
好ましくは、光線分離手段１６は、装置５００のオペレーションの間、瞳孔１０２と光学的に共役する分離絞り１６１を備える。
好ましくは、光線分離手段１６は、光学経路２Ａにおいてスキャニング手段１７により方向付けられた反射光２の方向を変えることに適合したミラー１６２を備える。
好ましくは、スキャニング手段１７は、２つの末端部（以下、移動末端という）の間において照射ビームの反射の方向を循環的に動かす。
好ましくは、スキャニング手段１７は、回転軸の周りで振動する共振ミラーを備える。
好ましくは、ミラー１７は、２つの対向する反射表面を備える。
例えば、多面ミラー、マイクロミラーのアレイなどの使用を提供する他の構造解決案が可能である。
【００２５】
説明をより明確にするために、スキャニング手段１７は、照射器１１が停止されたとき、すなわち、網膜１０１に向けて光を投影していないとき、も動作できる（すなわち、前記移動末端間のそれぞれで、繰り返される周期的な走査動作を実行する）ことが明確にされるべきである。
スキャニング手段１７と照射器１１を作動させたとき、スキャニング手段１７は、網膜１０１の１回以上の光走査を実行し、走査方向ＤＳに沿って網膜１０１の表面に投影する（好ましくは、実質的に、光の線１Ｂの形状の）光線１を動かす。
【００２６】
装置５００（図１の実施形態）の全般的なオペレーションがこれからより詳細に説明される。
照射器１１により投影された光線１は、光学系１５と、特に分離絞り１６１の開口において光線分離手段１６とを通過する。
光１は、網膜１０１に向けて光を方向付け、その回転軸の周りで動くスキャニング手段１７により走査される。それは、スキャニング光学系１８と接眼レンズ１９を通過し、眼１００に入り網膜１０１を照射する。
網膜１０１において、照射された部分は、照射器１１により投影された光イメージからなる。この光の線１Ｂの形状の照射された部分は、スキャニング手段１７により定められた走査方向ＤＳに従って、網膜に沿って動く。走査方向ＤＳは、光の線１Ｂの伸長軸ＡＥに実質的に垂直である。
【００２７】
網膜１０１により反射された光２は、瞳孔１０２を通って眼から出ていき、接眼レンズ１９とスキャニング光学系１８を再び通過する。
反射光２は、光学経路２Ａにそれを方向付けるスキャニング手段１７によりデスキャンされる。
反射光２は、特に分離絞り１６１の開口において、光線分離手段１６を通過する。この開口は、光線１が眼に入る瞳孔の領域から分離された瞳孔１０２の所定の領域を通過した反射光２の部分を選択する。
このことは、網膜とは異なる眼の表面からきて画像センサー２７に到達する、照射光１の不要反射の可能性を大いに減少させる。
【００２８】
分離手段１６により選択された光線２は、光学系２１を通過し、ミラー２２により反射され、共焦点絞り２３を通過し、ミラー２４により反射され、そして光学系２５を通過する。
光線２の共焦点絞り２３の通過は、網膜１０１とは異なる面に位置する又は同じ網膜に光学的に共役した物体からきて画像センサー２７に到達する不要反射の可能性を大いに減少させる。
光線２は、再びスキャニング手段１７により走査され、画像センサー２７の二次元受光表面において二次元画像を形成するために画像センサー２７に向けて方向付けられる。
光線２は、対物レンズ２６を通過し、網膜１０１の１つ以上の画像を取得する画像センサー２７に到達する。
【００２９】
装置５００は、装置５００のオペレーションを制御するための、例えば、信号収集、データ保存、データ計算及び制御信号発生機能を実行するための、制御ユニット４０も備える。
好ましくは、制御ユニット４０は、デジタル処理デバイス、例えば、マイクロプロセッサー、を備える。例えば、それはコンピューターから構成できる。
制御ユニット４０は、照射器１１、スキャニング手段１７及び画像センサー２７と作動的に関連し、適切な制御信号を発生させることによりそれらの動作を制御することが可能である。
これらの制御信号を発生させるために、制御ユニット４０は、好ましくは、同じ制御ユニットの１つ以上の記憶域に記憶された適切なソフトウェア命令を実行する。
制御ユニット４０は、マニュアルコマンドに入るための、又はコンフィギュレーションあるいはプログラミング操作を実行するためのヒューマン・マシン・インターフェース５０に作動的に関連することができる。
【００３０】
制御ユニット４０は、画像センサーが同じ網膜の画像を取得する周波数よりも高い周波数で、スキャニング手段１７が照射器１１により網膜１０１の表面に照射された光線１を走査する（すなわち、網膜の光走査を実行する）ように、照射器１１、スキャニング手段１７および画像センサー２７の制御オペレーションをすることができる。
特に、本発明によると、制御ユニット４０は、フレームされた網膜の領域の各１つの画像を取得するために、画像センサー２７がスキャニング手段１７によるフレームされた網膜の領域の少なくとも２回の全面的な光走査の間に網膜により反射された光２を集積するように、照射器１１、スキャニング手段１７、及び画像センサー２７の動作を制御することに適合する。
【００３１】
明確性のために、“画像センサー２７が光を集積する”という文は、光暴露の効果として画像センサー２７の画素が電荷を蓄積することを意味することが明記される。
各画素により蓄積された最終的な電荷は、集積時間の始まりからその終わりまでに前記画素に入射した光エネルギーの合計の量である。
本発明によると、画像センサー２７の各画素の最終的な電荷は、少なくとも２回の網膜の全面的な光走査の間に前記画素により受光された光エネルギーの総量により決定される。
従って、画像センサー２７の集積時間は、フレームされた網膜の領域の全面的な光走査を２回実行するのに必要な時間よりも少なくとも長い。
明確性のために、フレームされた網膜の領域の走査は、網膜の前記領域がその全部の表面、一方からもう一方まで、において走査されたとき、“全面的な走査”であることがさらに明記される。
【００３２】
本発明によると、画像センサー２７は、スキャニング手段１７により網膜の１回の光走査の実行時間よりもより高い露光時間（好ましくは整数の倍数）でフレームされた網膜１０１のそれぞれの画像を取得する。
画像センサー２７の露光時間（すなわち、１つの画像を取得するために必要とされる時間）の間に、フレームされた網膜の領域は、少なくとも２回、好ましくは２よりも大きい又は２と等しい整数回、スキャニング手段１７により走査される。
従って、網膜の前記領域のそれぞれの画像は、網膜の同じ領域の少なくとも２回の全面的な光走査の間に網膜により反射された光を集積することにより画像センサー２７により取得される。
通常は、フレームされた網膜の領域の各一つの画像を取得するのに必要とされる光走査の回数は、数回の走査（例えば、３又は４回）と数十回の走査（例えば３０又は４０回）との間で変えることができる。
【００３３】
網膜の複数走査の間に画像センサー２７の露光を制御する本発明により提案された解決案は、網膜からきて、画像センサー２７により集積される光の量（光エネルギー）が画像を取得する間に調整されることを可能にする。
例えば、画像の取得の間に、同じ画像の取得に効果的に寄与する光スキャンの整数回数（２より大きい又は２と等しい）を変えることにより網膜により反射された光の量を調節することが可能である。
本発明により提案された解決案のさらなる有利な点は、装置５００が網膜のビデオを取得する方法、例えば、赤外光で網膜を照射する、の相当の柔軟性を可能にするという事実にある。
特に、前記ビデオは、取得される画像のより高い周波数を得るように又はこれらの画像のよりよい品質を得るように形成されうる。
このことは、得られたそれぞれの画像に対応する網膜の走査回数を選択することにより可能になる。
【００３４】
もし、より高い周波数の画像のビデオが必要とされるならば、画像は網膜の数回の光走査に対応する集積時間とより高いゲインで取得される。
画像センサー２７によるこの取得方法は、眼の動きの自動検出が必要とされるなら有用になりうる。
その代わりに、もしより高品質の画像のビデオが必要とされるならば、取得は、より小さいゲインで及び網膜の光走査のより大きい回数に対応するそれぞれの画像の露光時間で実行される。この取得方法は、網膜の生体内観察に有用になりうる。
各画像の取得に寄与する対応する光走査回数を変えることによる画像センサー２７の露光時間を変える解決案は、固定された走査周波数の経済的なスキャニング手段、例えば、振動共振ミラー、と、出力が調整可能な照射器よりもより簡素でありコスト的に低い定出力を有する照射器とを使うときにも有利に使われうる。
【００３５】
装置５００のさらなる実施形態が図２に示される。
この実施形態によれば、装置５００は、１つ以上の感光部材３１１と、網膜により反射され光線分離手段１６（特に、分離絞り１６１）を通過する光を、網膜により反射された光の第１部分と第２部分２０１、２０２に分けることに適合したビームスプリッター２２０とを備える光検出デバイス３０を備える。
ビームスプリッター２２０は、取得経路２Ａ、好ましくは光学系２１と共焦点絞り２３との間、に位置している。
実際には、ビームスプリッター２２０は、図１に示した装置５００の実施形態に存在するミラー２２に置き換わる。
【００３６】
ビームスプリッター２２０は、網膜により反射された光の第１部分２０１を光検出デバイス３０に向けて方向付け、網膜により反射された光の第２部分２０２を画像センサー２７に向けて方向付ける。
反射光の部分２０２は、網膜とは異なる面に位置する物体又は同じ網膜と光学的に共役した物体からくる不要反射を除去する共焦点絞り２３を通過し、ミラー２４と光学系２５に出会い続け、スキャニング手段１７により再び走査され、そして、対物レンズ２６を通過し画像センサー２７において二次元画像を形成する、このようにして網膜の画像を取得することができる。
反射光２０１の部分２０１は、光検出デバイス３０に向けて方向付けられる。
【００３７】
検出デバイス３０は、１つ以上の感光部材３１１を備え、感光部材のそれぞれは、例えば、フォトセル、光トランジスタ、集積光センサー、又は受光した光パワーを表す電気的検出信号Ｕ１を供給することに適合した他のタイプのデバイスとすることができる。
図２の実施形態によれば、照射器１１は調節できるパワーを有さず、制御ユニット４０により始動されることができ、所定の一定のパワーでだけ光を投影する。
可能な変形実施形態（示していない）によれば、ビームスプリッター２２０は、共焦点絞り２３の下流に位置することができる（網膜により反射された光の方向Ｄ２に従って）。
この場合、ビームスプリッター２２０は、図１に示した装置５００の実施形態で存在するミラー２４に実際には置き換わる。
この変形実施形態において、共焦点絞り２３は、反射光２０１の一部分が検出デバイス２３に到達する前に不要反射からくる光を遮断する。
このことは、感光部材３１１が、網膜１０１により反射された光だけを測定し、不要反射からくる光を測定しないことを確保する。
【００３８】
ビームスプリッター２２０が異なる位置に配置されることを提供する更なる変形実施形態が可能である。
好ましくは、検出デバイス３０は、感光部材３１１が搭載された支持体３１、例えば、プリント基板、を備える。
好ましくは、検出デバイス３０は、支持体３１により定められる１つの面上に配置された複数の感光部材３１１を備える。
好ましくは、複数の感光部材３１１は、装置５００のオペレーションの間に照射器１１により網膜に投影された光の線１Ｂの主伸長軸ＡＥに光学的に共役した第１方向Ｉ１に従って配置される。
【００３９】
好ましくは、検出デバイス３０は、装置５００のオペレーションの間に網膜に光学的に共役したマスク３３を備える。
マスク３３は、感光部材３１１に向かう光の通過を可能にすることに適合した１つ以上の開口３３１を備える。
好ましくは、複数の開口３３１のそれぞれは、対応する感光部材３１１と作動的に関連する。
好ましくは、マスク３３は、複数の開口３３１を備える。
好ましくは、複数の開口３３１は、装置５００のオペレーションの間に、照射器１１により網膜に投影される光の線１Ｂの主伸長軸ＡＥと光学的に共役した第２方向Ｉ２に従って配置される。
【００４０】
好ましくは、検出デバイス３０は、マスク３３と支持体３１との間に作動的に位置する中間体３２を備える。
中間体３２は、１つ以上の空洞３２１を備える。
好ましくは、中間体３２は、空洞３２１が感光部材３１１に向かう光の通過を可能とするように支持体３１及びマスク３３と作動的に関連する。
好ましくは、１つ以上の空洞３２１は、１つ以上の感光部材３１１を入れることに適合した１つ以上のチャンバーを定める。
チャンバー３２１の数は、感光部材３１１の数に対して異なってもよい、例えば、複数の感光部材が同じチャンバー３２１内に集められた場合である。
好ましくは、図３−６に示されたように、複数の空洞３２１のそれぞれは、対応する１つの感光部材３１１のための１つのチャンバーを定める。
都合よくは、チャンバー３２１は、外部光とほこりから感光部材３１１を保護する。
【００４１】
支持体３１、中間体３２及びマスク３３は、周知の締結手段を用いて一緒に容易に組み立てることができる。
可能な変形例によると、マスク３３と中間体３２からなる組立品は、一部品で生産されてもよい。
この場合、マスク３３は、網膜により反射された光の部分２０１を受光することに適合した組立品の表面により形成される。
空洞３２１と開口３３１は、互いに通じており、感光部材３１１に向かう光の通過を可能にするように容易に配置することができる。
都合よくは、検出デバイス３０は、マスク３３が同じ装置のオペレーションに間に眼の網膜１０１に実質的に共役する面に位置するように、装置５００に搭載される。
【００４２】
上記のように、感光部材３１１と開口３３１は、照射器１１により網膜に投影された光の線１Ｂの伸長軸ＡＥに光学的に共役した方向Ｉ１、Ｉ２に従って配置される。
このことは、網膜の照射された領域（光の線１Ｂ）から感光部材３１１までの高い出力伝達（理論上は可能最大）を確保する。
方向Ｉ２における開口３３１の寸法Ｌは、方向Ｉ１における感光部材３１１の寸法と大体同じであるか、又は少し大きくすることができる。このことは、網膜からきて感光部材３１１に向けて伝達する光２０１の量の最大化を可能にする。
方向Ｉ２に垂直な開口３３１の寸法Ｓは、不要反射からきて感光部材３１１に到達する光を効果的に止めるために十分に制限することができる。
この場合、方向Ｉ２に従って配置された複数の開口３３１を備えているマスク３３は、感光部材３１１と作動的に関連した共焦点絞りとして動作する。
このように、感光部材３１１は、網膜からくる光を実質的に受光し、同じ網膜と共役していない表面、例えば、同じ装置の様々なレンズの表面又は眼の前面部分の表面、における不要反射からくる光を実質的に受光しない。
【００４３】
検出デバイス３０は、これらの感光部材が光線２０１により照射されたとき感光部材３１１により発生させた検出出力信号Ｕ１を供給する。
このことは、光線２０１により伝達された光エネルギーを測定することを可能にし、従って、光線２０２の光エネルギー、すなわち、画像センサー２７に到達する網膜から反射された光の量、を比例的に測定することが可能になる。
網膜が照射されたとき、検出デバイス３０の複数の感光部材３１１のそれぞれは、光線２０１の一部を受光し、その動作特性に従って光線２０１の光パワーＰを示す検出信号Ｕ１を発生させる（図７）。
【００４４】
好ましくは、装置５００は、感光部材３１１から検出信号Ｕ１を受け取ることに適合し、感光部材により受光された光エネルギーを示す測定信号Ｅ１を供給することに適合した信号調節手段６０を備える。
好ましくは、信号調節手段６０は、検出信号Ｕ１を合計する合計手段６０１と、合計手段からの出力信号を増幅する増幅器６０２と、増幅器６２からの出力信号を時間で積分する積分器６０３とを少なくとも備える。
合計手段、増幅器及び積分器が作動する順番は、図２に示した順番と異なっていてもよい。
好ましくは、信号調節手段６０は、検出デバイス３０と制御ユニット４０との間に電気的に接続された１つ以上の電子回路からなる。
この場合、信号調節手段６０は、好ましくは、検出デバイス３０に統合され、感光部材３１１が搭載されている支持体３１に搭載されている。
【００４５】
代替変形実施形態によれば、信号調節手段６０は、“独立型”電子デバイスからなってもよく、制御ユニット４０に搭載されてもよい。
さらなる代替実施形態によれば、信号調節手段６０は、制御ユニット４０又は制御ユニット４０と通信することができる他の電子ユニットに格納され実行される適切なソフトウェア命令からなってもよい。
好ましくは、制御ユニット４０は、信号調節手段６０により供給される測定信号Ｅ１に基づき照射器１１の動作を制御する。
【００４６】
好ましくは、制御ユニット４０は、画像センサー２７により受光される光２０２の量（光エネルギー）の第１調節手順を実行するように構成されている。
この調節手段は、好ましくは、次のステップを備える（下に記載された順番である必要はない）：
−スキャニング手段１７が進行が終わる部分に近接したときに、照射器１１と画像センサー２７を始動させる制御信号を供給するステップ；
−測定信号Ｅ１を取得するステップ；
−測定信号Ｅ１を閾値ＥＴＨと比較するステップ；
−もし測定信号Ｅ１が閾値ＥＴＨよりも高い値を有するならば、進行中の網膜の光走査の完了を待つステップ；
−進行中の光走査が完了したときに、照射器１１を停止させる制御信号を供給するステップ。
【００４７】
装置５００のオペレーションの間、スキャニング手段１７は、たとえ照射器１１が停止されているとしても、走査動作（例えば、その回転軸の周りでの振動）を継続的に実行することができる。
画像を取得するコマンドを受け取った後、例えば、ヒューマン・マシン・インターフェース５０を用いて、制御部４０は、スキャニング手段１７が進行中の走査動作の進行が終わる部分に到達するのに必要な時間待つ。
スキャニング手段１７がそれらの進行が終わる部分に到達したとき（従って、新たな走査動作を始めるはず）、制御ユニットは、（網膜に向かう光を投影しその複数回の光走査を実行するように）照射器１１を始動させ、（網膜の画像の取得を開始するように）画像センサー２７を始動させる制御信号を発生させる。
感光部材３１１は、光線２０１により照射され、そして受光した光パワーを示す検出信号Ｕ１を供給する。
【００４８】
信号調節手段６０は、検出信号Ｕ１を受け取り、感光部材３１１により受光された光エネルギーを示す測定信号Ｅ１を供給する。
測定信号Ｅ１は、制御ユニット４０により取得される。
感光部材３１１により受光された光エネルギーが閾値ＥＴＨを超えたとき、制御ユニット４０は、スキャニング手段１７が進行中のＮ回目（Ｎ＞＝２）の光走査が進行が終わる部分に到達して完了するまで待つ。
スキャニング手段１７がそれらの進行が終わる部分に到達したとき（従ってそれらは新しい走査動作を開始するはず）、制御ユニット４０は、照射器１１を停止させる制御信号を発生させる。
上記の解決案は、相当の動作上の利点を有している。
それは、特に、スキャニング手段の進行の終わりの瞬間において、画像センサー２７の露光期間の開始及び終わりと、スキャニング手段１７の動きとの同期化を可能にする。
このように、画像センサー２７の受光面は、網膜により反射された光に均一に露光される、すなわち、光走査の同じ数に対応する時間だけ露光される。
【００４９】
もし、画像センサー２７の露光期間の開始又は終わりが、スキャニング手段１７の動きと同期化されずに、ランダムに設定されたとすると、画像センサー２７の表面の一部は、Ｎ回の光走査の間露光され、残りの受光表面は、Ｎ＋１回又はＮ−１回の光走査の間に露光される。この場合、結果として生じる網膜の画像は、より明るい領域とより暗い領域を含みうる。
どのようにして、上記の手続手順において、検出信号Ｕ１（信号調節手段６０による）の積分時間が網膜の反射性の関数として自動的に変わるかがわかる。
例えば、反射性が低い網膜が撮影されると、感光部材３１１により発生する信号Ｕ１は、比較的低い強度であり、従って、所定の閾値ＥＴＨに到達し照射手段１１を停止させるのにより長い積分時間が必要となる。
【００５０】
従って、画像センサー２７の露光時間（一般的に、網膜が照射器１１により照射された時間に対応する）は網膜の反射性に反比例する形で変化する。
従って、感光部材３１１に到達する光２０１の量は、網膜の有効反射性に関係なく実質的に一定に維持される。
この光の量は画像センサー２７に到達する光の量（光エネルギー）に実質的に比例するため、画像センサー２７に到達する光の量も、調節できる値で実質的に一定に維持される。
このことは、検査される網膜の反射性に関わらず、実質的に一定の露光量での画像が取得されることを可能にする。
以上のことに基づいて、どうのようにして検出デバイス３０、信号調節手段６０及び制御ユニット４０が画像センサー２７の露光量を調節する手段を形成するかが明確である。
【００５１】
上記の調節手順において、画像センサー２７の露光は、一定の光パワーの照射器１１を用いて整数Ｎ回の光走査（Ｎ＞＝２）の間に網膜を照射することにより行われる。
従って、光エネルギーの調節のための分解能は、光走査の間に画像センサー２７により受光される光エネルギーの量に等しくなる。
光エネルギーの調節の正確さは、画像を取得するために行われる光走査の回数Ｎに依存する。
従って、上記調節手順の最大理論的誤差は、１／Ｎに等しい、ここで、Ｎは、同じ画像の取得を完了させる光走査の回数である。
例えば、もし画像を取得するために必要な露光時間がおよそ２０回の光走査に対応すると、最大調節誤差は、２０回ごとに１回の走査、すなわち５％、に対応する。
【００５２】
図２に示した発明の変形実施形態は、調節可能な光パワーを有する照射器１１の使用を提供する。
照射器１１の光パワーは、適切な制御信号を送ることにより制御部４０により調節することができる。
原則として、この場合でも、制御ユニット４０は、画像センサー２７により受光される光の量を調節するために、上記の第１調節手順を実行することができる。
しかし、好ましくは、制御ユニット４０は、画像センサー２７により受光される光２０２の量の第２調節を実行するように構成される。
【００５３】
この調節手順は、好ましくは次のステップを備える（下に記載された順番である必要はない）：
−スキャニング手段２７が進行が終わる部分に近接したときに、ある出力値（例えば最大出力値）で照射器１１を始動させ、画像センサー２７を始動させる制御信号を供給するステップ；
−スキャニング手段１７が網膜の第１回数Ｎ１の光走査を実行した後に、測定信号Ｅ１を取得するステップ、ここでＮ１は正の整数；
−測定信号Ｅ１を閾値ＥＴＨと比較するステップ；
−照射器１１が新しい出力値に調節された場合においてさらに実行される光走査の第２回数Ｎ２を算出するステップ、ここでＮ２は正の整数；
−スキャニング手段１７が進行が終わる部分に近接したときに、照射器１１の出力を新しい出力に変える制御信号を供給するステップ；
−スキャニング手段１７による網膜のＮ２回の光走査の完了を待つステップ；
−網膜のＮ２回目の光走査が完了したときに照射器１１を停止させる制御信号を供給するステップ。
【００５４】
上記の調節手続は、調節可能な光パワーの照射器の使用と共に、画像センサー２７に到達する光２０２の量の正確な調節の顕著な改善を可能にする。
実際に、この場合、調節分解能は、実行する光走査の回数に依存しない。
たとえスキャニング手段１７が網膜の画像の取得の間に２回の光走査を実行するだけでも（すなわちＮ１＝１、Ｎ２＝１の場合）、上記の調節手順により、画像センサー２７に到達する光２０２の量の優れた調節を得ることが可能である。
もし２回だけの光走査が実行されたなら（可能最小数）、制御ユニット４０は、スキャニング手段１７が網膜の第１光走査を実行した後、測定信号Ｅ１を取得でき、測定信号Ｅ１を閾値ＥＴＨと比較できる。
次に、制御ユニット４０は、エネルギー閾値ＥＴＨに到達するために、照射器１１が第２光走査の間に動作すべき出力を算出することができる。
上記の調節手順を実行するために、制御ユニット４０は、そのデジタル処理ユニットを用いて、適切な記憶域に格納されたソフトウェア命令を都合よく実行することができる。
【００５５】
図２（図５−６）に示した本発明の変形実施形態によれば、検出デバイス３０は、感光部材３１１に作動的に関係した１つ以上のエミッター３１２を備える。
エミッター３１２は、感光部材３１１に光を投影することに適合する。
エミッター３１２の数は、感光部材３１１の数に対して異なってもよい、例えば、同じエミッター３１２が複数の感光部材３３１に光を投影する場合である。
好ましくは、図５−６に示したように、それぞれのエミッター３１２は、対応する感光部材３１１に作動的に関係する。
好ましくは、エミッター３１２は、ＬＥＤデバイスからなる。
この変形実施形態によれば、マスク３３と中間体３２は、すでに記載したこれらと実質的に同じ特徴を有する。
好ましくは、エミッター３１２と感光部材３１１は、支持体３１に搭載され、中間体３２の空洞３２１により定められた対応するチャンバー内に入れられる。
【００５６】
この変形実施形態によれば、信号調節手段６０と制御ユニット４０の動作は、すでに記載したものと実質的に同じである。
好ましくは、制御ユニット４０は、適切な制御信号を用いてエミッター３１２の動作を制御することができる。
好ましくは、制御ユニット４０は、照射器１１と画像センサー２７が同じ制御ユニットにより始動されたときにエミッター３１２を始動させる。
このように、エミッター３１２は、照射器１１と画像センサー２７が始動されたときに、言い換えると、感光部材３１１が網膜により反射された光２０１を受光し、検出信号Ｕ１を発生させる時間全体において、感光部材３１１に光を投影する。
【００５７】
上記の解決案は、たとえとても低い入射光パワーの場合低い正確さで特徴付けられるとしても、経済的な光センサー（通常は、市場で入手できる）を使用することを可能にする利点を有する。
経済的な光センサーの動作特性曲線の典型例を図７に示す。
センサーの動作特性曲線Ｕ１＝ｆ（Ｐ）は、閾値ＰＴＨよりも大きい光パワーの範囲において直線状ある、ここでＵ１は、光パワーＰで照射されたセンサーにより発生した電気的信号（検出信号）である。
もしこの閾値が光線２０１の光パワーＰ１よりも大きいとすると、センサーの動作点は、動作特性の非線形領域に位置する。
従って、網膜の反射性の変化は、センサーにより供給される検出信号Ｕ１の比例的変化を、効果として、有さないだろう。
このことは、画像センサー２７が網膜の画像を取得するために露光される光の量を所望の一定値に調節することはできないであろうことを意味する。
とても低い光パワーに対応する非線形領域で動作するとき、センサーが温度変化への高感度で特徴付けられることもわかった。
このことは、光線２０１により供給される光エネルギーの測定において実質的なエラーを引き起こしうる。
【００５８】
エミッター３１２を使うと、一定の光の追加量Ｐ２が感光部材３１１に投影されうる。
感光部材３１１により受光される全パワー（Ｐ１＋Ｐ２）は、感光部材が、それらが温度変化に対し低感度であるそれらの動作特性の直線状領域においていつも動作することを確保するように、都合よく選択される。
このように、光線２０１により供給される光パワーＰ１を正確に測定することが可能であり、従って、画像センサーにより受光される光の量を正確に調節することが可能である。
【００５９】
本発明に係る装置１は、従来技術に対し相当の利点を有する。
画像を形成するために、同じ網膜の少なくとも２回の光走査において画像センサー２７が網膜により反射された光を集積するという事実は、次のことを都合よく可能にする：
−前記画像の取得に寄与する光走査の回数を適切に調節する、それぞれの画像を取得するために使われる光の量の調節；
−たとえスキャニング手段１７が固定された走査周波数（それは経済的である）で動作できるとしても、ビデオの取得の間の露光時間の調節。
【００６０】
装置５００は、例えば、上記の調節手順を用いて、画像センサー２７により受光される光２０２の量を自動的に調節することができる。
このことは、次のことを可能にする：
−検査される網膜の反射性の変化に関係なく、均一な明るさで画像を得ること；
−低い反射性の網膜の条件において取得される画像の信号／ノイズ比を改善すること；
−高い反射性の網膜の条件において取得される画像の飽和を回避すること。
検出デバイス３０の使用は、画像センサー２７により受光される光の量の調節の優れた正確性を得ることを可能にし、開口３３１の共焦点を使用して、光線２０１のエネルギー測定を妨げるうる反射により引き起こされる光学的妨害を効果的に減らす。
【００６１】
網膜の画像の取得の間に発光素子３１１に光を投影することに適合したエミッター３１２の使用は、次のことを可能にする：
−低コストの経済的な感光部材を使用して画像センサー２７により受光される光の量の調節の優れたレベルの正確性を維持すること；
−ビームスプリッター２２０を用いて、検出デバイス３０に向かって方向付けられた光２０１の量を減らし、画像センサー２７に向かって方向付けられ画像の取得に使用される光２０２の量を増加させ、こうして同じ画像の質を改善すること；
−測定の間において感光部材３１１の温度変化に起因する測定エラーを減らすこと。
装置５００は、とてもコンパクトな構造を有し、工業規模で生産することが容易であり、製造コストを制限することに関して相当の利点がある。
【図１】
2017530767.tif 000003
【図２】
2017530767.tif 000004
【図３】
2017530767.tif 000005
【図４】
2017530767.tif 000006
【図５】
2017530767.tif 000007
【図６】
2017530767.tif 000008
【図７】
2017530767.tif 000009
【図８】
2017530767.tif 000010
【国際調査報告】
2017530767.tif 000011
2017530767.tif 000012
2017530767.tif 000013